(57)【特許請求の範囲】
【請求項１】
トレッドに、タイヤ周方向に沿って延びる複数本の周方向溝と、周方向溝間に配置され、周方向溝間にタイヤ周方向に間隔を開けて形成されたタイヤ幅方向に対して同一方向に傾斜する複数本の傾斜溝で区画された傾斜陸部を備え、
少なくとも前記傾斜陸部の中央側には、タイヤ幅方向に延びかつタイヤ周方向の一方側に対して凸なるように湾曲し接地時に閉じる複数のサイプと、タイヤ幅方向に延びかつタイヤ周方向の一方側に前記サイプと同一方向に凸なるように湾曲し接地時に閉じない複数の副溝とが、交互に形成されている、空気入りタイヤ。
【請求項２】
前記傾斜陸部がタイヤ赤道面を横断し、前記傾斜陸部のタイヤ幅方向中心がタイヤ赤道面よりも車両装着時の車両幅方向外側に位置している、請求項１に記載の空気入りタイヤ。
【請求項３】
前記傾斜陸部の踏面を平面視した時の前記サイプの長手方向両端部を直線状に結ぶ仮想線は、タイヤ幅方向に対して４５°以下に設定されている、請求項１または請求項２に記載の空気入りタイヤ。
【請求項４】
前記傾斜陸部の踏面を平面視した時の前記サイプは、曲率半径が１００ｍｍ以下の円弧状とされている、請求項１〜請求項３の何れか１項に記載の空気入りタイヤ。
【請求項５】
前記傾斜陸部のタイヤ幅方向中央側に最も近く配置される前記副溝は、前記傾斜陸部のタイヤ幅方向中央から離れた位置に配置される前記副溝よりも、溝幅が狭く、かつ溝深さが深い、請求項１〜請求項４の何れか１項に記載の空気入りタイヤ。
【請求項６】
前記傾斜陸部のタイヤ幅方向最外側には前記サイプが形成されている、請求項１〜請求項５の何れか１項に記載の空気入りタイヤ。
【請求項７】
前記傾斜溝は、タイヤ赤道面に近い側がショルダー部に近い側よりも溝幅が狭く、かつ溝深さが浅く形成されている、請求項１〜請求項６の何れか１項に記載の空気入りタイヤ。
【請求項８】
前記傾斜溝には、溝底と前記傾斜陸部とで形成される隅部を埋めるように第１の突出部が形成されている、請求項１〜請求項７の何れか１項に記載の空気入りタイヤ。
【請求項９】
少なくとも前記傾斜陸部を区画する前記周方向溝には、溝底と前記傾斜陸部とで形成される隅部を埋めるように第２の突出部が形成されている、請求項１〜請求項８の何れか１項に記載の空気入りタイヤ。
【発明の詳細な説明】
【技術分野】
【０００１】
本発明は、空気入りタイヤにかかり、特には、基本的なウエット性能を確保しつつ、雪上性能、及び操縦安定性を高度に両立可能な空気入りタイヤに関する。
【背景技術】
【０００２】
空気入りタイヤとして、周方向溝と、タイヤ幅方向に対して傾斜する傾斜溝とで区画される略平行四辺形の傾斜したブロックを備え、該ブロックに傾斜溝と逆方向に傾斜して延びるサイプを複数形成してウエット性能を確保した、所謂オールシーズンタイプの空気入りタイヤが提案されている（例えば、特許文献１参照）。
【先行技術文献】
【特許文献】
【０００３】
【特許文献１】特開２００１−２０６０２０号公報
【発明の概要】
【発明が解決しようとする課題】
【０００４】
しかしながら、オールシーズンタイプの空気入りタイヤであっても、近年では、雪上性能の向上が求められている。雪上性能を向上するための一般的な手法としては、ブロックにラグ溝を複数配置すれば良いが、ブロック剛性が低下し操縦安定性が低下する問題がある。
【０００５】
本発明は、ウエット性能を確保しつつ、雪上性能と操縦安定性を高度に両立可能な空気入りタイヤを提供することが目的である。
【課題を解決するための手段】
【０００６】
本発明は上記事実に鑑みてなされたものであって、請求項１に記載の空気入りタイヤは、トレッドに、タイヤ周方向に沿って延びる複数本の周方向溝と、周方向溝間に配置され、周方向溝間にタイヤ周方向に間隔を開けて形成されたタイヤ幅方向に対して同一方向に傾斜する複数本の傾斜溝で区画された傾斜陸部を備え、少なくとも前記傾斜陸部の中央側には、タイヤ幅方向に延びかつタイヤ周方向の一方側に対して凸なるように湾曲し接地時に閉じる複数のサイプと、タイヤ幅方向に延びかつタイヤ周方向の一方側に前記サイプと同一方向に凸なるように湾曲し接地時に閉じない複数の副溝とが、交互に形成されている。
【０００７】
次に、請求項１に記載の空気入りタイヤの作用を説明する。
請求項１の空気入りタイヤのトレッドには、タイヤ周方向に沿って延びる複数本の周方向溝が形成され、周方向溝間には、タイヤ周方向に間隔を開けて形成されたタイヤ幅方向に対して同一方向に傾斜する複数本の傾斜溝で区画された傾斜陸部が備えられている。このため、ウエット路面走行時、トレッドとトレッドとの間の接地面の水は周方向溝、及び傾斜溝によって排水される。周方向溝には、タイヤ幅方向に対して傾斜する傾斜溝は、タイヤ幅方向に対して傾斜していない横溝に比較して周方向溝へ水を流し易いため、接地面の水を効率的に接地面外へ排水でき、基本的に高いウエット性能を有している。
【０００８】
雪上では、傾斜陸部が雪面に引っ掛かり、タイヤ幅方向に対して傾斜して延びる傾斜溝、及び傾斜陸部に形成されたタイヤ幅方向に延びかつタイヤ周方向に凸なるように湾曲した副溝に雪が入り込んで雪柱剪断力（タイヤ周方向）を発生するため、雪上直進時のトラクション性能、及びブレーキ性能を向上することができる。
また、雪上でのコーナリング時では、傾斜陸部が雪面に引っ掛かり、周方向溝、傾斜溝及びタイヤ幅方向に延びかつタイヤ周方向に凸なるように湾曲した副溝に雪が入り込んで雪柱剪断力（タイヤ幅方向）を発生するため、雪上でのコーナリング性能を得ることができる。なお、副溝は、タイヤ周方向に凸なるように湾曲しているため、タイヤ幅方向の溝成分のみならず、タイヤ周方向の溝成分を有しているため、副溝内に入り込んだ雪がコーナリング時にずれ難く、タイヤ幅方向に直線状に延びる副溝に比較して、雪上でのコーナリング性能を向上することができる。
【０００９】
さらに、少なくとも傾斜陸部の中央側に、サイプと、接地時に閉じない副溝とを交互に配置することで、副溝に隣接するサイプが閉じる際に、サイプが閉じる分だけ副溝が開くこととなり（サイプと副溝との間の陸部分がサイプ側に倒れる結果。）、開いた副溝が雪上で雪を掴み易くなっている（複数の副溝のみを間隔を開けて配置した場合対比で）。
【００１０】
傾斜陸部にサイプを形成することで、傾斜陸部は複数の小陸部に区画されるが、サイプはタイヤ周方向に凸となるように湾曲しているので、小陸部の湾曲した凸部分が、隣接する小陸部の湾曲した凹部分に嵌合した形態となっており、横力が入力した際、凸部分と凹部分とが互いに引っ掛かり合い、傾斜陸部の剛性の低下が抑えられる。
【００１１】
さらに、サイプや副溝のエッジは、タイヤ周方向に凸となるように湾曲しているので、例えば、タイヤ幅方向のエッジ成分が効くウエット路面や雪上でのブレーキ性能だけでなく、横力に効くタイヤ周方向のエッジ成分も備えているので、ウエット路面や雪上でのコーナリング性能も向上することができる。
請求項１の空気入りタイヤでは、このように傾斜陸部にサイプと副溝とを交互に配置することで、陸部剛性が確保され、ドライ路面での操縦安定性も確保できる。
【００１２】
請求項２に記載の発明は、請求項１に記載の空気入りタイヤにおいて、前記傾斜陸部がタイヤ赤道面を横断し、前記傾斜陸部のタイヤ幅方向中心がタイヤ赤道面よりも車両装着時の車両幅方向外側に位置している。
【００１３】
次に、請求項２に記載の空気入りタイヤの作用を説明する。
接地圧をトレッドの幅方向で見ると、タイヤ赤道面側がショルダー部側よりも接地圧が高い傾向にある。雪上性能を確保するには、溝内に雪上の雪を入り込ませることが必要であり、溝内に雪を入り込ませるには、接地圧が高い方が好ましい。
【００１４】
したがって、傾斜陸部に形成した副溝に雪を入り込ませて雪上性能を確保するには、副溝の形成されている傾斜陸部を、タイヤ赤道面近傍に配置することが好ましい。このため、請求項２の空気入りタイヤでは、傾斜陸部がタイヤ赤道面を横断している。
【００１５】
また、傾斜陸部のタイヤ幅方向中心をタイヤ赤道面よりも車両装着時の車両幅方向外側に位置させているのは、コーナリング時の排水性を考慮しての事である。
即ち、車両がコーナリングする場合、車両に作用する遠心力により、車両の旋回半径方向外側の空気入りタイヤに作用する荷重が大となり（旋回半径方向内側対比）、さらに、車両の旋回半径方向外側の空気入りタイヤのトレッドの中でも、車両幅方向外側の方が内側よりも接地面積も大となり、かつ接地圧も高くなる。したがって、ウエット路面でのコーナリングでは、トレッドの中でも車両幅方向外側の部分が排水性にとっても重要となる。
【００１６】
請求項２に記載の空気入りタイヤでは、傾斜陸部のタイヤ幅方向中心がタイヤ赤道面よりも車両装着時の車両幅方向外側に位置している、即ち、コーナリング時に、タイヤ赤道面よりも車両装着時の車両幅方向外側に配置される傾斜溝の割合が多くなるため、コーナリング時のウエット性能を向上することができる。
【００１７】
請求項３に記載の発明は、請求項１または請求項２に記載の空気入りタイヤにおいて、前記傾斜陸部の踏面を平面視した時の前記サイプの長手方向両端部を直線状に結ぶ仮想線は、タイヤ幅方向に対して４５°以下に設定されている。
【００１８】
次に、請求項３に記載の空気入りタイヤの作用を説明する。
仮想線のタイヤ幅方向に対する角度を４５°以下に設定することで、トラクション、及びブレーキング（直進時）に効くタイヤ幅方向のエッジ成分を十分に確保することができる。
【００１９】
請求項４に記載の発明は、請求項１〜請求項３の何れか１項に記載の空気入りタイヤにおいて、前記傾斜陸部の踏面を平面視した時の前記サイプは、曲率半径が１００ｍｍ以下の円弧状とされている。
【００２０】
次に、請求項４に記載の空気入りタイヤの作用を説明する。
サイプの曲率半径を１００ｍｍ以下とすることで、タイヤ周方向のエッジ成分を十分に確保することが出来る。サイプの曲率半径が１００ｍｍを超えると、サイプのエッジが直線状に近づき、タイヤ周方向のエッジ成分が不足し、コーナリング性能の向上が望めなくなる。
【００２１】
請求項５に記載の発明は、請求項１〜請求項４の何れか１項に記載の空気入りタイヤにおいて、前記傾斜陸部のタイヤ幅方向中央側に最も近く配置される前記副溝は、前記傾斜陸部のタイヤ幅方向中央から離れた位置に配置される前記副溝よりも、溝幅が狭く、かつ溝深さが深い。
【００２２】
次に、請求項５に記載の空気入りタイヤの作用を説明する。
雪上性能を考えると、タイヤ幅方向に延びる副溝は、溝幅を広く、かつ溝深さが深い方が好ましいが、傾斜陸部に形成する副溝の全てを、溝幅を広く、かつ溝深さ深くすると、傾斜陸部の剛性が低下して好ましく無い場合がある。
【００２３】
傾斜溝の長手方向に沿って延びる傾斜陸部の剛性を考えた場合、長手方向端部側、即ち、タイヤ幅方向端部側に溝幅が広くかつ溝深さが浅い副溝を配置し、長手方向中央側、即ち、タイヤ幅方向中央側に溝幅が狭く、かつ溝深さが深い副溝を配置した方が、傾斜陸部全体の剛性が長手方向に渡って均一化して好ましい。長手方向端部側に溝深さが深い副溝を配置すると、端部側の陸部剛性が低下して好ましくない。
【００２４】
なお、雪上性能を確保するには、副溝内に雪上の雪を入り込まさなければ成らない。長手方向端部側の副溝は溝幅を広くかつ溝深さを浅くし、長手方向中央側の副溝は溝幅を狭くかつ溝深さを深くすることで、雪上の雪を入り込ませるために必要となる前者の副溝の溝体積と後者の副溝の溝体積を同等に近づけることができ、雪上性能を向上する上で好ましい形態となる。
【００２５】
請求項６に記載の発明は、請求項１〜請求項５の何れか１項に記載の空気入りタイヤにおいて、前記傾斜陸部のタイヤ幅方向最外側には前記サイプが形成されている。
【００２６】
次に、請求項６に記載の空気入りタイヤの作用を説明する。
傾斜溝に沿って延びる傾斜陸部のタイヤ幅方向端部側は、タイヤ幅方向中央側よりも相対的に剛性が低い部分となるので、剛性を低下させる副溝は形成せず、サイプを形成する。サイプは、接地時に閉じてサイプ壁面同士が密着するので、陸部剛性の低下を抑えることができ、接地時に閉じない副溝を形成するよりも傾斜陸部のタイヤ幅方向端部側の陸部剛性の低下を抑えることが出来る。
【００２７】
請求項７に記載の発明は、請求項１〜請求項６の何れか１項に記載の空気入りタイヤにおいて、前記傾斜溝は、タイヤ赤道面に近い側がショルダー部に近い側よりも溝幅が狭く、かつ溝深さが浅く形成されている。
【００２８】
次に、請求項７に記載の空気入りタイヤの作用を説明する。
接地圧をトレッドの幅方向で見ると、タイヤ赤道面側がショルダー部側よりも接地圧が高い傾向にあり、陸部は、タイヤ赤道面に近い方が変形し易く、ショルダー部に近い方が変形し難い傾向にある。
また、溝幅が狭く、かつ溝深さが浅く形成されている溝に隣接している陸部と、溝幅が広く、かつ溝深さが深く形成されている溝に隣接している陸部とを比較した場合、前者の陸部の方が、後者の陸部よりも剛性が高く変形し難い。
【００２９】
このため、傾斜溝の長手方向の一方側がタイヤ赤道面に近く、他方側がショルダー部に近く配置されている場合、傾斜溝で区画される傾斜陸部の剛性を確保し、また排水性を考慮すると、傾斜陸部を区画する傾斜溝は、タイヤ赤道面に近い側をショルダー部に近い側よりも溝幅を狭く、かつ溝深さを浅く形成することが好ましい。
【００３０】
請求項８に記載の発明は、請求項１〜請求項７の何れか１項に記載の空気入りタイヤにおいて、前記傾斜溝には、溝底と前記傾斜陸部とで形成される隅部を埋めるように第１の突出部が形成されている。
【００３１】
次に、請求項８に記載の空気入りタイヤの作用を説明する。
傾斜溝に、溝底と傾斜陸部とで形成される隅部を埋めるように第１の突出部を形成することで、傾斜陸部の傾斜溝側の剛性を向上させることができ、傾斜陸部の倒れ込み変形を抑制することができる。また、第１の突出部を形成した側の傾斜陸部のエッジ効果を高めることもできる。
【００３２】
請求項９に記載の発明は、請求項１〜請求項８の何れか１項に記載の空気入りタイヤにおいて、少なくとも前記傾斜陸部を区画する前記周方向溝には、溝底と前記傾斜陸部とで形成される隅部を埋めるように第２の突出部が形成されている。
【００３３】
次に、請求項９に記載の空気入りタイヤの作用を説明する。
雪上走行時、周方向溝に入り込んだ雪が第２の突出部に引っ掛かるため、周方向溝に入り込んだ雪と周方向溝とのずれが抑えられ、雪上でのトラクション性能、及びブレーキ性能を向上することが出来る。
また、第２の突出部により、傾斜陸部の第２の突出部を設けた部分の補強を行うことができ。
なお、第２の突出部は、傾斜陸部を区画していない他の周方向溝に形成しても良い。
【発明の効果】
【００３４】
以上説明したように請求項１に記載の空気入りタイヤは上記構成としたので、ウエット性能を確保しつつ、雪上性能と操縦安定性を高度に両立することができる。
【００３５】
請求項２に記載の空気入りタイヤは上記構成としたので、コーナリング時のウエット性能を向上することができる。
【００３６】
請求項３に記載の空気入りタイヤは上記構成としたので、トラクション、及びブレーキングに効くタイヤ幅方向のエッジ成分を十分に確保することができる。
【００３７】
請求項４に記載の空気入りタイヤは上記構成としたので、タイヤ周方向のエッジ成分を十分に確保することが出来る。
【００３８】
請求項５に記載の空気入りタイヤは上記構成としたので、傾斜陸部の剛性確保と、雪上性能の向上を図ることができる。
【００３９】
請求項６に記載の空気入りタイヤは上記構成としたので、傾斜陸部のタイヤ幅方向端部側の陸部剛性の低下を抑えることが出来る。
【００４０】
請求項７に記載の空気入りタイヤは上記構成としたので、傾斜陸部の剛性の確保と、排水性の向上を図ることができる。
【００４１】
請求項８に記載の空気入りタイヤは上記構成としたので、傾斜陸部の倒れ込み変形を抑制することができ、また、エッジ効果を高めることもできる。
【００４２】
請求項９に記載の空気入りタイヤは上記構成としたので、雪上でのトラクション性能、及びブレーキ性能を向上することが出来る。
【図面の簡単な説明】
【００４３】
【図１】本発明の一実施形態に係る空気入りタイヤのトレッドの平面図である。
【図２】傾斜陸部付近のトレッドの拡大平面図である。
【図３】傾斜陸部の一部分を示す斜視図である。
【図４】第１周方向溝の断面図である。
【発明を実施するための形態】
【００４４】
以下、図面にしたがって、本発明の一実施形態に係る空気入りタイヤ１０について説明する。
図１には、空気入りタイヤ１０のトレッド１２が示されている。なお、トレッド１２の接地端１２Ｅは、空気入りタイヤ１０をＪＡＴＭＡ ＹＥＡＲ ＢＯＯＫ（日本自動車タイヤ協会規格、２００９年度版）に規定されている標準リムに装着し、ＪＡＴＭＡ  ＹＥＡＲ  ＢＯＯＫでの適用サイズ・プライレーティングにおける最大負荷能力（内圧−負荷能力対応表の太字荷重）に対応する空気圧（最大空気圧）の１００％の内圧を充填し、最大負荷能力を負荷したときのものである。使用地又は製造地において、ＴＲＡ規格、ＥＴＲＴＯ規格が適用される場合は各々の規格に従う。
【００４５】
また、本実施形態の空気入りタイヤ１０は、タイヤ赤道面ＣＬを挟んで左右非対称のパターン形状とされており、図面左側が車両装着時の内側（矢印ＩＮで表示）、図面右側が車両装着時の外側（矢印ＯＵＴで表示）となるように車両に装着される。なお、この空気入りタイヤ１０は、車両の左右何れにも装着できる。
【００４６】
本実施形態の空気入りタイヤ１０のトレッド１２には、タイヤ周方向に沿って延びる複数（本実施形態では３本）の周方向溝である、第１周方向溝１４、第２周方向溝１６、及び、第３周方向溝１８が、形成されている。
【００４７】
第１周方向溝１４は、タイヤ赤道面ＣＬの一方側（車両装着時の外側）に配置され、第２周方向溝１６及び第３周方向溝１８は、タイヤ赤道面ＣＬの他方側（車両装着時の内側）に配置されている。また、第２周方向溝１６は第３周方向溝１８よりもタイヤ赤道面ＣＬ側に配置されている。第１周方向溝１４は、ＯＵＴ側の最外側の周方向溝であり、第３周方向溝は、ＩＮ側の最外側の周方向溝である。なお、第２周方向溝１６は、第１周方向溝１４よりもタイヤ赤道面ＣＬに近い位置に形成されている。
【００４８】
第１周方向溝１４と第２周方向溝１６との間には、陸部２０が形成されている。陸部２０には、第１周方向溝１４と第２周方向溝１６とを横断するように、傾斜溝３０が周方向に複数形成されている。傾斜溝３０は、第１周方向溝１４から第２周方向溝１６へ向けて左下がりに傾斜して延出されており、第１周方向溝１４と第２周方向溝１６とを連通している。
【００４９】
なお、第２周方向溝１６が第１周方向溝１４よりもタイヤ赤道面ＣＬに近い位置に形成されているため、陸部２０のタイヤ幅方向中心は、タイヤ赤道面ＣＬよりも車両装着時の外側（矢印ＯＵＴ方向側）に位置することになる。
【００５０】
図２、及び図３に示すように、傾斜溝３０は、タイヤ赤道面ＣＬに近い第２周方向溝１６側が、ショルダー側（トレッド端１２Ｅ側）に近い第１周方向溝１４側よりも溝底の浅い浅溝３０Ａとされている。本実施形態では、浅溝３０Ａは、タイヤ赤道面ＣＬよりも第２周方向溝１６側に配置されているが、第１周方向溝１４側へ延びていても良い。
【００５１】
図２に示すように、傾斜溝３０は、第２周方向溝１６側からタイヤ赤道面ＣＬよりも車両装着時の外側（矢印ＯＵＴ方向側）に位置する第１周方向溝１４側に向けて溝幅が徐々に広くなるように形成されており、第１周方向溝１４側へ排水し易い構成としている。また、傾斜溝３０は、図の左上側がわずかに膨出する湾曲形状とされている。
【００５２】
なお、傾斜溝３０のタイヤ赤道面ＣＬに対する角度は、２０°〜６０°の範囲内とすることが好ましい。角度が２０°未満になると、後述する傾斜陸部２２がタイヤ周方向に長くなり過ぎるため、運動性能の悪化が懸念される。一方、傾斜溝３０のタイヤ周方向に対する角度が６０°を超えると、排水性能に対するメリットが無くなる。そこで、傾斜溝３０のタイヤ赤道面ＣＬに対する角度は、２０°〜６０°の範囲内とすることが好ましい。
【００５３】
隣り合う傾斜溝３０の間には、傾斜陸部２２が形成されている。傾斜陸部２２の角部２４は、角部２６よりも鋭角となっている。傾斜陸部２２の角部２４側には、傾斜溝３０に面して段部４０が形成されている。段部４０は、傾斜陸部２２の第１周方向溝１４側端部から浅溝３０Ａにかけて隅部を埋める様に形成されている。
【００５４】
図３に示すように、段部４０は、傾斜溝３０の溝底から立ち上がり、傾斜陸部２２の踏面よりも低い段差面４２を有している。本実施形態では、段部４０の段差面４２と浅溝３０Ａの溝底とは、面一とされている。
【００５５】
傾斜陸部２２には、隣り合う傾斜溝３０を連結するように、第２周方向溝１６側から第１周方向溝１４側に向けてサイプ３８Ａ−１、サイプ３８Ａ−２、第２の副溝３６、サイプ３８Ｂ、第１の副溝３４、及びサイプ３８Ｃが順に形成されている。なお、サイプ３８Ａ−１、サイプ３８Ａ−２、サイプ３８Ｂ、及びサイプ３８Ｃは、傾斜陸部２２が路面に接地した際に閉じる程度の溝幅を有しており、第１の副溝３４及び第２の副溝３６は、接地時に閉じることの無い溝幅に設定されている。
傾斜陸部２２の高さ寸法（第１周方向溝１４、第２周方向溝１６の溝底から計測。本実施形態では９．８ｍｍ）に対して、傾斜陸部２２に形成する各サイプの深さ寸法は、４０〜８０％の範囲内が好ましく、本実施形態では７．１ｍｍとしている。
また、傾斜陸部２２に形成する各サイプは、傾斜陸部２２が路面に接地した際に閉じる狭い溝幅であり、一例として０．３〜１．０ｍｍの範囲内が好ましく、本実施形態では０．７ｍｍに設定されている。
【００５６】
トレッド平面視で、これらサイプ３８Ａ−１、サイプ３８Ａ−２、第２の副溝３６、サイプ３８Ｂ、第１の副溝３４、及びサイプ３８Ｃは、タイヤ周方向の一方側、本実施形態では図面矢印Ａ方向側に凸となる円弧形状とされている。
【００５７】
ここで、本実施形態の空気入りタイヤ１０では、第１の副溝３４の溝断面積（単位長さ当たりの溝体積）と第２の副溝３６の溝断面積（単位長さ当たりの溝体積）とを同じにする方向とするため、タイヤ赤道面ＣＬに近い位置に形成される第２の副溝３６は、タイヤ赤道面ＣＬから遠い位置に形成される第１の副溝３４よりも相対的に溝幅が狭く、かつ溝深さが深く形成されている。
但し、第１の副溝３４、及び第２の副溝３６の何れも雪上走行時に溝内に雪を入り込ませる必要がある。
また、本実施形態の第１の副溝３４、及び第２の副溝３６は、タイヤ赤道面ＣＬ側の溝幅が最も広く、タイヤ赤道面ＣＬとは反対側へむけて溝幅が漸減している。
第１の副溝３４は、溝深さ寸法を傾斜陸部２２の高さ寸法の１０〜４０％の範囲内、溝幅を１．０〜５．０ｍｍに範囲内とすることが好ましい。一方、第２の副溝３６は、溝深さ寸法を傾斜陸部２２の高さ寸法の４０〜８０％の範囲内、溝幅を１．０〜５．０ｍｍに範囲内とすることが好ましい。
【００５８】
ここで、本実施形態の傾斜陸部２２に形成されるサイプ３８Ａ−１、サイプ３８Ａ−２、サイプ３８Ｂ、サイプ３８Ｃは、トレッド平面視で円弧形状である。また、これらサイプ３８Ａ−１、サイプ３８Ａ−２、サイプ３８Ｂ、サイプ３８Ｃは、全体的に略タイヤ幅方向に形成することが好ましい。
【００５９】
なお、第１の副溝３４、及び第２の副溝３６の向き、形状及び曲率半径についても、サイプ３８Ａ−１、サイプ３８Ａ−２、サイプ３８Ｂ、及びサイプ３８Ｃと同様の規定とすることが好ましい。
【００６０】
図２に示すように、傾斜陸部２２の角部２４側には、第１周方向溝１４に突出する第１突部４６が形成されている。第１突部４６は、図４に示すように、タイヤ周方向からみて三角形状とされているが、矩形等、他の形状であっても良い。雪上を走行する際、第１周方向溝１４に入り込んだ雪が、溝内に突出した第１突部４６に引っ掛かることによって溝長手方向にずれることが抑えられ、雪上でのブレーキング性能、及びトラクション性能を向上させることが出来る。また、第１突部４６は、傾斜陸部２２の鋭角の角部２４を補強して剛性を向上することができる。
【００６１】
図１に示すように、第２周方向溝１６と第３周方向溝１８との間には、第２陸部５０が形成されている。第２陸部５０のタイヤ幅方向の中央には、吸音空洞部５２が形成されている。吸音空洞部５２は、吸音浅溝５４を介して第２周方向溝１６と連通されている。吸音空洞部５２の容積と、吸音浅溝５４の断面積及び長さは、ヘルムホルツ共鳴理論式に基づいて、走行時に発生する第２周方向溝１６の騒音を軽減するように、共鳴周波数が設定されている。
なお、第２陸部５０には、吸音空洞部５２の第３周方向溝１８側に、一端部が第３周方向溝１８と連通され、吸音空洞部５２とは非連通とされているサイプ５６が形成されている。
【００６２】
第２陸部５０の吸音浅溝５４と第２周方向溝１６とが交差する部分には、鋭角な角部５１が形成されている。第２周方向溝１６には、角部５１に、第２周方向溝１６に突出する第２突部５８が形成されている。第２突部５８は、第１突部４６と略同様の形状であり、雪上でのブレーキング性能、及びトラクション性能を向上させることが出来、角部５１を補強して剛性を向上することができる。
【００６３】
第３周方向溝１８のショルダー側には、イン側ショルダー陸部６０が形成されている。イン側ショルダー陸部６０のタイヤ幅方向中央部には、タイヤ周方向に延びるサイプ６２が形成されている。サイプ６２と第３周方向溝１８との間には、タイヤ幅方向に対して傾斜したサイプ６４が形成されている。サイプ６４は、サイプ６２及び第３周方向溝１８に連通されている。
【００６４】
第３周方向溝１８には、イン側ショルダー陸部６０のサイプ６４と第３周方向溝１８とで形成される鋭角な角部６１に、第３周方向溝１８に突出する第３突部６６が形成されている。第３突部６６は、第２突部５８、及び第１突部４６と略同様の形状であり、雪上でのブレーキング性能、及びトラクション性能を向上させることが出来、角部６１を補強して剛性を向上することができる。
【００６５】
サイプ６２よりもショルダー側には、端部浅溝６３が形成されている。端部浅溝６３は、タイヤ幅方向に延びるように配置されている。隣り合う端部浅溝６３の間には、２本のサイプ６５、６７が形成されている。サイプ６５、６７は、タイヤ周方向に配置されるサイプ６９で連結されている。
【００６６】
第１周方向溝１４のショルダー側には、アウト側ショルダー陸部７０が形成されている。アウト側ショルダー陸部７０のタイヤ幅方向中央部には、タイヤ周方向に延びるサイプ７２、７４が形成されており、サイプ７２よりもショルダー側には、端部浅溝７３が形成されている。
【００６７】
サイプ７２と第１周方向溝１４との間には、サイプ７６が形成されている。
また、アウト側ショルダー陸部７０の第１周方向溝１４側には、傾斜溝３０に対応する位置に切欠部７９が形成されている。
【００６８】
（作用）
次に、本実施形態の空気入りタイヤ１０の作用を説明する。
本実施形態の空気入りタイヤ１０では、トレッド１２に、タイヤ周方向に沿って延びる第１周方向溝１４、第２周方向溝１６、及び第３周方向溝１８の３本の周方向溝を配置していると共に、第１周方向溝１４と第２周方向溝１６とを連結するように、タイヤ幅方向に対して傾斜した傾斜溝３０が形成されているため、基本的な排水性が確保されている。
この傾斜溝３０は、第１周方向溝１４に向けて溝幅が広くなるように形成されているので、第１周方向溝１４へ向かっての排水性を高めることができる。
【００６９】
本実施形態の傾斜溝３０は、第１周方向溝１４側に向かってタイヤ赤道面に対する傾斜角度が漸増する方向に湾曲されているので、傾斜溝３０を直線状とした場合と比較して、傾斜溝３０から第１周方向溝１４へ向かっての距離を短縮でき、排水性を高めることができる。
【００７０】
本実施形態の空気入りタイヤ１０で雪上を走行した際には、主には、タイヤ幅方向に延びる溝成分、即ち、タイヤ幅方向に対して傾斜して延びる傾斜溝３０、端部浅溝６３、端部浅溝７３、さらには、傾斜陸部２２に形成した第１の副溝３４、及び第２の副溝３６に雪が入り込んでタイヤ周方向の雪柱剪断力を発生するため、直進時のトラクション性能、及びブレーキ性能を得ることができる。
【００７１】
本実施形態の空気入りタイヤ１０では、トレッド１２の中でも接地圧の高いトレッド中央付近、即ちタイヤ赤道面ＣＬを横断するように傾斜陸部２２を形成しているため、傾斜陸部２２を区画している傾斜溝３０、及びタイヤ赤道面ＣＬに近い位置に形成された第２の副溝３６、及び第１の副溝３４に雪が入り込み易く、雪上性能を向上させることができる。
【００７２】
なお、雪上でのコーナリング時では、主には、タイヤ周方向に延びる溝成分、即ち、第１周方向溝１４、第２周方向溝１６、第３周方向溝１８、傾斜溝３０に雪が入り込んでタイヤ幅方向の雪柱剪断力を発生するため、雪上でのコーナリング性能を得ることができる。さらに、傾斜陸部２２に形成した第１の副溝３４、及び第２の副溝３６は、全体的にタイヤ幅方向に延びてはいるが、タイヤ周方向に凸なるように湾曲して、タイヤ周方向に延びる溝成分を有しているため、タイヤ幅方向に直線状に延びるラグ溝対比で、タイヤ幅方向の雪柱剪断力を発生させることができ、これによっても雪上でのコーナリング性能を向上させることができる。
【００７３】
また、傾斜陸部２２の中央側では、接地時に閉じるサイプと接地時に閉じない溝とを交互に配置しているので（サイプ３８Ａ−２、第２の副溝３６、サイプ３８Ｂ、第１の副溝３４）、サイプと副溝との間の小陸部分がサイプ側に倒れる結果として、副溝に隣接するサイプが閉じる際にサイプが閉じる分だけ副溝が開くこととなり、開いた副溝が雪上で雪を掴み易くなっており、これによって、雪上性能を更に向上することが出来る。
【００７４】
細長い陸部を考えた時に、陸部の長手方向中央部と長手方向端部とを比較すると、長手方向端部側の方が長手方向中央部よりも陸部の剛性は低い。本実施形態の空気入りタイヤ１０では、図２に示すように、傾斜陸部２２の長手方向中央に近い第２の副溝３６よりも、傾斜陸部２２の長手方向端部近い第１の副溝３４の溝幅及び溝深さを広くかつ浅く形成しているので、傾斜陸部２２全体の剛性を長手方向に渡って均一化する方向となり好ましい形態となっている。また、雪上性能を確保するには、溝内に雪上の雪を入り込まさなければ成らないが、本実施形態では、第２の副溝３６よりも第１の副溝３４の溝幅及び溝深さを広くかつ浅く形成しているので、雪上の雪を入り込ませるために必要となる第２の副溝３６の溝体積と第１の副溝３４の溝体積を同等に近づけることができ、雪上性能を確保する上で好ましい形態となっている。
【００７５】
本実施形態の傾斜陸部２２には、複数のサイプ（サイプ３８Ａ−１、サイプ３８Ａ−２、サイプ３８Ｂ、サイプ３８Ｃ、サイプ３８Ｄ）が形成されているが、各サイプはタイヤ周方向に凸となるように湾曲しており、小陸部の湾曲した凸部分が、隣接する小陸部の湾曲した凹部分に嵌合した形態となっているため、横力が入力した際、凸部分と凹部分とが互いに引っ掛かり合い、傾斜陸部２２の変形が抑えられ、各サイプを直線状とした場合に比較して陸部剛性が向上する。
【００７６】
傾斜陸部２２の長手方向両端側には、サイプ３８Ａ−１及びサイプ３８Ｃが形成されており、これらのサイプは、傾斜陸部２２が路面に接地した時に閉じてサイプ壁面同士が密着するので、接地時に閉じない副溝を形成するよりも傾斜陸部２２の長手方向両端側の変形を抑えることができる。
【００７７】
さらに、傾斜陸部２２に形成された各サイプは、タイヤ周方向に凸となるように湾曲しているので、例えば、タイヤ幅方向のエッジ成分が効くウエット路面や雪上でのブレーキ性能だけでなく、タイヤ周方向のエッジ成分も備えているので、コーナリング時にタイヤ周方向のエッジ成分を効かすことができ、ウエット路面や雪上でのコーナリング性能を向上することができる。
【００７８】
本実施形態の空気入りタイヤ１０では、傾斜陸部２２を区画している傾斜溝３０のタイヤ幅方向中心を、タイヤ赤道面ＣＬよりも車両装着時の車両幅方向外側に位置させているので、コーナリング時に接地面がタイヤ赤道面ＣＬの車両幅方向外側へ変位した時に、接地面における傾斜溝３０の割合が多くなるため、コーナリング時のウエット性能を向上することができる。
【００７９】
傾斜溝３０は、ショルダー部側よりも接地圧の高いタイヤ赤道面ＣＬ側を浅くしているので、傾斜陸部２２のタイヤ赤道面ＣＬ側の接地圧の高い部分における陸部剛性を向上させることができ、傾斜陸部２２のタイヤ赤道面ＣＬ側の変形を抑えることができる。これにより、操縦安定性を向上させることができる。また、傾斜溝３０は、第１周方向溝１４側で溝幅を広くすると共に、溝深さを深くしているので、傾斜溝３０の水を第１周方向溝１４へ効率的に排水することができる。
【００８０】
また、傾斜陸部２２には、角部２４の形成されている側（矢印Ａ方向側）に傾斜溝３０に面して段部４０が形成されているので、傾斜溝３０での排水性を確保しつつ、傾斜陸部２２の剛性を向上させて倒れを抑制することができる。本実施形態では、傾斜陸部２２の矢印Ａ方向側のみに段部４０を形成したが、矢印Ａ方向とは反対方向側にも段部４０と同様の構成の段部を形成してもよい。
なお、本実施形態の段部４０は断面形状が矩形であるが、段部４０の断面形状は、三角形等、他の形状であっても良い。
【００８１】
また、本実施形態では、タイヤ周方向に沿って延びる第１周方向溝１４、第２周方向溝１６、及び第３周方向溝１８の各々に、第１突部４６、第２突部５８、及び第３突部６６を設けているので、これらの突起がない場合と比較して、雪上でのトラクション性能、ブレーキ性能を向上させることができる。
【００８２】
また、本実施形態では、第２陸部５０に吸音空洞部５２を構成しているので、より高い騒音抑制効果を得ることができる。
【００８３】
なお、傾斜陸部２２に形成されるサイプ３８Ａ−１、サイプ３８Ａ−２、サイプ３８Ｂ、サイプ３８Ｃの曲率半径Ｒが大き過ぎると、サイプのエッジが直線状に近づき、タイヤ周方向のエッジ成分が不足し、コーナリング性能の向上が望めなくなる。
【００８４】
また、これらのサイプの長手方向一端と他端とを直線状に結ぶ仮想線ＦＬとタイヤ幅方向との成す角度θが大き過ぎると、トラクション、及びブレーキング（直進時）に効くタイヤ幅方向のエッジ成分が不足する。
なお、第１の副溝３４、及び第２の副溝３６の曲率半径及びタイヤ幅方向と成す仮想線の角度についても上記サイプと同様であり、規定を外れると雪上性能の向上が望めなくなる。
【００８５】
［その他の実施形態］
上記実施形態では、傾斜陸部２２に接地時に閉じない溝として、第１の副溝３４及び第２の副溝３６の２本の溝を形成したが、接地時に閉じない溝は３本以上形成しても良い。傾斜陸部２２に形成するサイプ、及び副溝の数は、雪上性能、操縦安定性（陸部剛性）のバランスを考慮して決定すれば良く、各々の本数は上記実施形態のものに限定されない。
【００８６】
傾斜陸部２２に形成したサイプ３８Ａ−１、サイプ３８Ａ−２、サイプ３８Ｂ、サイプ３８Ｃ、第１の副溝３４、及び第２の副溝３６は、トレッド１２を平面視したときの形状が曲率半径が単一のＲの円弧形状であったが、周方向に凸形状となっていれば良く、複数の曲率半径を有する形状であっても良く、円弧以外の曲線形状であっても良い。
【００８７】
本実施形態の傾斜溝３０は、ショルダー部側よりも接地圧の高いタイヤ赤道面ＣＬ側を浅くしているが、傾斜溝３０はショルダー部側からタイヤ赤道面ＣＬ側に向けて溝深さを徐々に浅くしても良い。
上記実施形態では、傾斜陸部２２に形成したサイプ、及び副溝の凸の向きが矢印Ａ方向であったが、場合によっては凸の向きは矢印Ａ方向と反対方向としても良い。
【符号の説明】
【００８８】
１０  空気入りタイヤ
１２  トレッド
１４  第１周方向溝（周方向溝）
１６  第２周方向溝（周方向溝）
１８  第３周方向溝（周方向溝）
２２  傾斜陸部
３０  傾斜溝
４０  段部（第１の突出部）
４６  第１突部（第２の突出部）
５８  第２突部（第２の突出部）
６６  第３突部（第２の突出部）
【図１】
0005474738.tif 000002
【図２】
0005474738.tif 000003
【図３】
0005474738.tif 000004
【図４】
0005474738.tif 000005